(57)【要約】【課題】吸込具の集塵性能を低下させることなく、吸込具本体を横方向に操作する時のローラーによる操作抵抗を低減し、横幅の狭い空間や壁際などでも掃除操作が容易にできるように使い勝手を向上させることを目的としている。【解決手段】下方に吸込口１３を開口させた吸込具本体１０と前記吸込口１３に連通させ前記吸込具本体１０の後方に設けた接続部１１と、前記吸込具本体１０または前記接続部１１の下方に配設され、前記吸込具本体１０の前後方向に回転可能なローラー２１を備え、前記ローラー２１の径方向に対して一部または複数の凹部２１Ａを構成したもので、吸込具本体１０の横方向に操作する時のローラー２１による操作抵抗を低減し、使い勝手を向上させるものである。【選択図】　図２
2004089243.tif 000002
【特許請求の範囲】
【請求項１】
下方に吸込口を開口させた吸込具本体と前記吸込口に連通させ前記吸込具本体の後方に設けた接続部と、前記吸込具本体または前記接続部の下方に配設され、前記吸込具本体の前後方向に回転可能なローラーを備え、前記ローラーの径方向に対して一部または複数の凹部を構成した電気掃除機用吸込具。
【請求項２】
下方に吸込口を開口させた吸込具本体と前記吸込口に連通させ前記吸込具本体の後方に設けた接続部と、前記吸込具本体または前記接続部の下方に配設され、前記吸込具本体の前後方向に回転可能なローラーを備え、前記ローラーの略中央部の直径を両端の直径よりも小さく設定した電気掃除機用吸込具。
【請求項３】
下方に吸込口を開口させた吸込具本体と前記吸込口に連通させ前記吸込具本体の後方に設けた接続部と、前記接続部の下方に配設され、前記吸込具本体の前後方向に回転可能なローラーを備え、前記ローラーの略中央部の形状を前記接続部の外形形状に近似させて形成するとともに、前記ローラーの略中央部の直径を両端の直径よりも小さくした電気掃除機用吸込具。
【請求項４】
ローラーの外面に起毛布、静電植毛などの滑り性の良い材料を配設した請求項１〜３のいずれか１項に記載の電気掃除機用吸込具。
【請求項５】
滑り性の良い材料を配設したローラーの略中央部と両端部の外径が略同一となるようにした請求項４記載の電気掃除機用吸込具。
【請求項６】
滑り性の良い材料を配設したローラーの略中央部と両端部とで硬さを変えた請求項４または５記載の電気掃除機用吸込具。
【請求項７】
接続部は、吸込具本体の前方向、横方向の何れにも略直角かつ略平行と回動するように連結体で構成した請求項１〜６のいずれか１項に記載の電気掃除機用吸込具。
【請求項８】
接続部は、吸込具本体との接続面に対して回動自在に取り付けられる第１の連結体と、前記第１の連結体の回動方向と略直角方向に回動自在に連結された第２の連結体とで構成された請求項７記載の電気掃除機用吸込具。
【請求項９】
吸込具本体の吸込口の前方に起毛布、静電植毛などの滑り性の良い材料を配設した請求項１〜８のいずれか１項に記載の電気掃除機用吸込具。
【請求項１０】
掃除機本体に内設された塵埃を吸引する電動送風機と、上記請求項１〜９のいずれか１項に記載の電気掃除機用吸込具を連通させた電気掃除機。
【発明の詳細な説明】
【０００１】
【発明の属する技術分野】
本発明は電気掃除機用吸込具及び前記吸込具を用いた電気掃除機に関するものである。
【０００２】
【従来の技術】
従来、この種の電気掃除機に用いる吸込具は、特開２０００−２３７１０２号公報、特開２０００−２６２４４３号公報特開、２０００−３５４５７０号公報などの構成が一般的であった。
【０００３】
図１２〜図１６を用いて説明する。
【０００４】
吸込具本体１０１は上部を構成する上部枠体１０２と吸込具本体１０１の下部を構成する下部枠体１０３を有しており、その平面形状は左右に長く、前後に短い略長方形をしている（Ｌ１＞Ｗ１）。被掃除面側と対向する下部枠体１０３の前面と側面には、前部塵埃通路１０４と側部塵埃通路１０５が形成され下方に開口した吸込口１０６に連通している。前記吸込口１０６には被掃除面に付着した塵埃を掻き上げる回転ブラシ１０７が配設され、吸込具本体１０１には前記回転ブラシ１０７をベルトもしくはギア（図示せず）を介して回転させるための電動機１０８を内蔵し、後部に掃除機本体（図示せず）と吸込具本体１０１とを連通させる自在連結部１０９を連結させている。自在連結部１０９は、回動部１１０とアーム部１１１とで構成されており、回動部１１０とアーム部１１１との間で回動自在に連結され、アーム部１１１は吸込具本体１０１に軸支されて垂直方向に回動自在に連結されている。１１２、１１３はそれぞれ下部枠体１０３の前部、後部に配設された移動用の前部ローラー、後部ローラーであり、吸込具本体１０１の前方向に回転可能に配置されている。また、吸込具本体１０１の外周には家具などへの傷付防止のための軟質材で構成されたバンパー１１４を配設している。また、吸込具本体１０１は自在連結部１０９に延長管１１５、手元ハンドル１１６、およびホース１１７を介して掃除機本体に連結し、掃除機本体に内蔵した電動送風機（図示せず）の吸引力によって塵埃を吸い込むものである。
【０００５】
上記構成において、自在連結部１０９に延長管１１５、手元ハンドル１１６、およびホース１１７を介して掃除機本体に連結し、吸込具本体１０１を被掃除面に沿って走行させて掃除を行なう。壁際などの掃除の場合には図１６に示すように手元ハンドル１１６をひねり、手元ハンドル１１６の中心軸を中心として手元ハンドル１１６を回動させることにより、回動部１１０とアーム部１１１との間で略９０°回動して吸込具本体１０１の横方向を壁と平行に沿わせて掃除を行なう。
【０００６】
また、このような構成では、吸込具本体１０１の前方向に回転可能な前部ローラー１１２、後部ローラー１１３を配置しているため、吸込具本体１０１の前方向に操作する時には前部ローラー１１２、後部ローラー１１３の回転によって操作力の低減が図れるが、吸込具本体１０１の横方向に操作する時には前部ローラー１１２、後部ローラー１１３が回転せず、被掃除面に突っかかって操作力が重いといった問題を有していた。特に後部ローラー１１３を自在連結部１０９近傍に２つ配設したものにあっては、手元ハンドル１１６の操作力が延長管１１５、自在連結部１０９を介して後部ローラー１１３にかかり易くなるため、吸込具本体１０１の横方向に操作する時にそれぞれの後部ローラー１１３が図１３の矢印ａに示すようにねじれるため、より被掃除面に突っかかって操作力が重くなっていた。
【０００７】
そのため、図１４、図１５に示すように、長細い後部ローラー１１３を自在連結部１０９下方へ配設して吸込具本体１０１の横方向に操作する時の後部ローラー１１３のねじれによる被掃除面への突っかかりを防止していた。
【０００８】
【発明が解決しようとする課題】
しかしながら上記従来の構成では、後部ローラー１１３が長細いため、被掃除面への接触面積が増大し、抵抗となるとともに自在連結部１０９を後部ローラー１１３の上方に配置しなければならないため、吸込口１０６と自在連結部１０９との距離が長くなり、集塵性能が低下するとともに吸込具本体１０１の高さが高くなっていた。また、図１４に示すように、吸込具本体１０１の横方向に操作する時の後部ローラー１１３のねじれによる被掃除面への突っかかりや後部ローラー１１３の接触抵抗を無くすため、吸込具本体１０１の横方向に操作する時に吸込具本体１０１の横方向に回転可能な補助ローラー１１８が吸込具本体１０１下方に突出する構成とすると、補助ローラー１１８を配置するためにその構造が複雑になり、吸込具本体１０１が重くなったり、大型化するという課題があった。
【０００９】
本発明は、上記問題を解決するもので、吸込具の集塵性能を低下させることなく、吸込具本体を横方向に操作する時のローラーによる操作抵抗を低減し、横幅の狭い空間や壁際などでも掃除操作が容易にできるように使い勝手を向上させることを目的としている。
【００１０】
【課題を解決するための手段】
上記目的を達成するために本発明は、下方に吸込口を開口させた吸込具本体と前記吸込口に連通させ前記吸込具本体の後方に設けた接続部と、前記吸込具本体または前記接続部の下方に配設され、前記吸込具本体の前後方向に回転可能なローラーを備え、前記ローラーの径方向に対して一部または複数の凹部を構成した電気掃除機用吸込具である。
【００１１】
上記構成により、ローラーの径方向に対して形成した一部または複数の凹部により、被掃除面への接触面積が減少するため、吸込具本体の横方向に操作する時の後部ローラーによる操作抵抗を低減し、横幅の狭い空間や壁際などでも吸込具本体の横方向での掃除操作が容易にできるように使い勝手を向上させるものである。
【００１２】
【発明の実施の形態】
本発明の請求項１記載の発明は、下方に吸込口を開口させた吸込具本体と前記吸込口に連通させ前記吸込具本体の後方に設けた接続部と、前記吸込具本体または前記接続部の下方に配設され、前記吸込具本体の前後方向に回転可能なローラーを備え、前記ローラーの径方向に対して一部または複数の凹部を構成したもので、前記ローラーの径方向に対して一部または複数の凹部により、被掃除面への接触面積が減少するため、吸込具本体の横方向に操作する時のローラーによる操作抵抗を低減し、横幅の狭い空間や壁際などでも吸込具本体の横方向での掃除操作が容易にできるように使い勝手を向上させるものである。
【００１３】
本発明の請求項２記載の発明は、下方に吸込口を開口させた吸込具本体と前記吸込口に連通させ前記吸込具本体の後方に設けた接続部と、前記吸込具本体または前記接続部の下方に配設され、前記吸込具本体の前後方向に回転可能なローラーを備え、前記ローラーの略中央部の直径を両端の直径よりも小さく設定したもので、吸込具本体の横方向に操作する時のローラーによる操作抵抗を低減し、横幅の狭い空間や壁際などでも掃除操作が容易にできるように使い勝手を向上させるとともに接続部を吸込具本体下方に配置しても、接続部と吸込口の高さ方向での距離が短くなり集塵性能の向上が図れ、また、吸込具本体の高さが低くでき、吸込具本体の小型軽量化が図れるものである。
【００１４】
本発明の請求項３記載の発明は、下方に吸込口を開口させた吸込具本体と前記吸込口に連通させ前記吸込具本体の後方に設けた接続部と、前記接続部の下方に配設され、前記吸込具本体の前後方向に回転可能なローラーを備え、前記ローラーの略中央部の形状を前記接続部の外形形状に近似させて形成するとともに、前記ローラーの略中央部の直径を両端の直径よりも小さくしたもので、吸込具本体の横方向に操作する時のローラーによる操作抵抗を低減し、横幅の狭い空間や壁際などでも掃除操作が容易にできるように使い勝手を向上させるとともに、ローラーの略中央部の直径を前記接続部の形状に近似させて両端の直径よりも小さく設定したことにより、さらに接続部を吸込具本体下方に配置しても、接続部と吸込口の高さ方向での距離が短くなり集塵性能の向上が図れ、また、吸込具本体の高さが低くでき、吸込具本体の小型軽量化が図れるものである。
【００１５】
本発明の請求項４記載の発明は、ローラーの外面に起毛布、静電植毛などの滑り性の良い材料を配設したもので、吸込具本体を横方向に操作する時のローラーによる操作抵抗を低減し、横幅の狭い空間や壁際などでも掃除操作がさらに容易にできるように使い勝手を向上させるものである。
【００１６】
本発明の請求項５記載の発明は、滑り性の良い材料を配設したローラーの略中央部と両端部の外径が略同一となるようにしたもので、ローラーの全幅で滑り性の良い材料が常に被掃除面に接触することにより、被掃除面の拭き掃除が行なえ、集塵性能の向上が図れるものである。
【００１７】
本発明の請求項６記載の発明は、滑り性の良い材料を配設したローラーの略中央部と両端部とで硬さを変えたもので、被掃除面への接触抵抗を調整して滑り性、拭き掃除性の向上を図ることができる。
【００１８】
本発明の請求項７記載の発明は、接続部は、吸込具本体の前方向、横方向の何れにも略直角かつ略平行と回動するように連結体で構成したもので、吸込具本体を接続部に対して横方向、前方向に設定でき使用性の向上を図れるものである。
【００１９】
本発明の請求項８記載の発明は、接続部は、吸込具本体との接続面に対して回動自在に取り付けられる第１の連結体と、前記第１の連結体の回動方向と略直角方向に回動自在に連結された第２の連結体とで構成されたもので、吸込具本体を接続部に対して横方向、前方向に設定でき使用性の向上を図れるものである。
【００２０】
本発明の請求項９記載の発明は、吸込具本体の吸込口の前方に起毛布、静電植毛などの滑り性の良い材料を配設したもので、吸込具本体の横方向に操作する時の吸込具本体前部による操作抵抗を低減し、横幅の狭い空間や壁際などでも掃除操作が容易にできるように使い勝手を向上させる。
【００２１】
本発明の請求項１０記載の発明は、掃除機本体に内設された塵埃を吸引する電動送風機と、上記請求項１〜９のいずれか１項に記載の電気掃除機用吸込具を連通させたもので、掃除作業の作業性を向上させることができる。
【００２２】
【実施例】
（実施例１）
以下本発明の第１の実施例を図１〜図６において説明する。
【００２３】
図１に示すように、掃除機本体１は内部に塵埃を集積する集塵室２と電動送風機３を備えており、この掃除機本体１の集塵室２に連通するようにホース４の一端を接続している。ホース４の他端には上方が握り部となり、電動送風機３の回転を制御するスイッチ５を配設した手元ハンドル６を設けたパイプ７を取り付けている。手元ハンドル６を備えたパイプ７に連通するように延長管８の一端をパイプ７に接続し、延長管８に吸込具９を取り付けている。
【００２４】
また、電動送風機３の排気を吸込具９に導入する還流式電気掃除機にも本発明は適用できるものである。
【００２５】
吸込具９は図２、図３に示すように前後の長さが左右の長さよりも短い（Ｌ１＞Ｗ１）吸込具本体１０とこの吸込具本体１０の後方に設け、延長管８を接続する接続部１１から構成され、吸込具本体１０の下面の略中央に吸塵通路１２を設け、この吸塵通路１２は吸込具本体１０の下面にその長手方向に伸びる吸込口１３と連通している。また、吸込口１３内に塵埃を掻き上げるためのブラシ体１４を回転方向に対してその略中央が両端部よりも後方に位置するように配設した回転ブラシ１５を設け、吸込具本体１０内部後方に配した電動機１６よりベルト（図示せず）を介して回転力を伝達している。前記ブラシ体１４は吸込口１３より突出し、被掃除面に当接するように配設されている。また、後述する略中央の吸塵通路１２を挟んで電動機１６と接続部１１からの導電線１７を電気的に接続するための回路基板１８を電動機１６と反対側に配置している。吸込具本体１０の前方部や側部外周には、家具などへの傷付を防止するために軟質材などで構成したバンパー１９が配設されている。吸込具本体１０の下面前方の側部近傍に前面から底面にかけて屈曲させた起毛布２０をその幅（Ｗ２）に対して底面の進行方向の長さ（Ｌ２）が長くなるように、また、バンパー１９前面よりも前方に突出して取り付けており、前記吸込具本体１の下面後方で接続管１１の下方にはその外周に径方向に対して複数の凹部２１Ａを形成した後部ローラー２１を回転自在に取り付けている。吸込具本体１０は上部を構成する上部枠体２４と下部を構成する下部枠体２５とでその外郭を構成し、被掃除面と対向する下部枠体２５の前面と側面にそれぞれ、前部塵埃通路２６、側部塵埃通路２７が形成され、吸込口１３の略中央部分は両端部分よりも接続部１１側に広く形成され、その後方に下方に突出した中央塵埃掻き上げ部２８、端塵埃掻き上げ部２９をそれぞれ設け、中央塵埃掻き上げ部２８の一部と端塵埃掻き上げ部２９の一部とを吸込具本体１０の進行方向に対して交差（Ｌ３）するように配設している。下部枠体２５の下面に設けた吸塵通路１２と吸込具本体１０後方の接続部１１とを連通する吸込通路３０を形成するために下部枠体２５と上部枠体２４との間に中間部材３１を配し、中間部材３１と下部枠体２５とで囲まれる空間が吸込通路３０となる。また、中間部材３１は吸込通路３０を形成するドーム部分３２と吸込通路３０の前部で下部枠体２５と上部枠体２４に挟持される円弧状のブリッジ部分３３とで構成されており、このブリッジ部分３３には電動機１６の導電線１７を保持し、吸込通路３０上部を経由して回路基板１８へと配線処理する処理通路３４を形成している。
【００２６】
吸込具本体１０は通常使用において壁に当てられたり、足で踏まれたりして前部や上部がたわみ易く、吸込通路３０でのエアー洩れが生じたり、被掃除面との隙間が変わり集塵性能が変化する大きな要因となっていた。したがって上記のように吸込具本体１０の中央部分に中間部材３１を配置することによって、安定した吸込通路３０を確保することができる。
【００２７】
また、上部枠体２４の一部は、中間部材３１がドーム状のドーム部分３２で形成する吸込通路３０の上部を覆うひとまわり大きなドーム形状としており、中間部材３１との間に空間Ａ３５を形成している。この空間Ａ３５は後述する接続部１１からの導電線１７を通し、かつ、導電線１７が移動できる空間を形成している。接続部１１が接続される吸込具本体１０との後方には吸込通路３０の出口３０Ａを設け、この出口３０Ａには上部枠体２４と下部枠体２５で形成される回動受け部３６が構成されている。この回動受け部３６は吸込通路３０の出口３０Ａよりも径大な環状溝部により形成されている。また、接続部１１は図３、図６に示すように吸込具本体１０との接続面に対して回動可能に取り付けた第１の連結体３７と、第１の連結体の回動方向と略直角方向に回動可能に取り付けた第２の連結体３８とで構成し、第１の連結体３７と第２の連結体３８とを可撓性を有した接続管を構成する蛇腹ホース３９を介して連結している。
【００２８】
さらに、接続部１１は第１の連結体３７には、図５に示すように、回動受け部３６の環状溝部に嵌合する環状溝４０を周面に設けたドーナツ状の回動部材４１を設けて、回動受け部３６の環状溝部と回動部材４１の環状溝と４０を嵌合することによって、回動部における気密性を確保して連結している。
【００２９】
回動部材４１の開口部４２には蛇腹ホース３９の一端が連結され、吸込通路３０の出口と蛇腹ホース３９の一端が連結される。蛇腹ホース３９の他端は第２の連結体３８に固定した連結部４３に接続している。第１の連結体３７の一部を構成する回動部材４１には、両側方向に略Ｌ字状の腕部４４が延び、この腕部４４には第２の連結体３８を回動するための回動軸部４５を構成し、第２の連結体３８を構成する第２の上部カバー体４６と第２の下部カバー体４７とに設けた回動軸受け部４８で回動軸部４５を挟み込むことで回動自在に連結している。また、蛇腹ホース３９と接続している連結部４３も第２の連結体３８を構成する第２の上部カバー体４６と第２の下部カバー体４７とで挟み込むことで固定している。
【００３０】
また、第２の上部カバー体４６と第２の下部カバー体４７には蛇腹ホース３９の回動に支障が起こらない範囲で隙間を設けて壁を左右に形成している。
【００３１】
接続部１１内に処理される導電線１７については、第１の連結体３７を回動部材４１ならびに回動軸部４５を含み上下に分割された第１の上部カバー体４９と第１の下部カバー体５０の間に設け、その空間に処理する構成である。特に回動軸部４５においては、第１の上部カバー体４９に従回動軸部５１を第１の下部カバー体５０に主回動軸部５２を形成し、主回動軸部５２を従回動軸部５１よりも大きくし、かつ、主回動軸部５２内に導電線１７を保持する溝を形成する。また、第１の連結体３７の回動軸部４５から露出した導電線１７は、端部に設けられた端子５３が蛇腹ホース３９の連結部４３に固定され、回動軸部４５から端子５３までの間は第２の下部カバー体４７に設けられたリブ等で保持している。
【００３２】
上記構成における動作は、スイッチ５を押して掃除機本体１に通電すると電動送風機３が回転し、吸込具９から吸込んだ塵埃は第１の連結体と第２の連結体を連通する蛇腹ホースを通り、連結部４３に接続した延長管８、ホース４を介して掃除機本体１の集塵室２に吸引される。
【００３３】
吸込具９の前方向（吸込具本体１０の短辺方向）に操作する時には、後部ローラー２１が回転し、操作でき、壁際などで吸込具９の横方向に操作する時には、後部ローラー２１がその外周の径方向に対して複数の凹部２１Ａを形成したことにより、被掃除面との接触面積が減少し、操作抵抗が低減して吸込具９の横方向での操作力の軽減が図れる。また、この時、被掃除面に当接するブラシ体１４を有する回転ブラシ１５の回転力によって、吸込具９自体が前進する駆動力が生まれ、吸込具９自体移動することにより吸込具９の前方向操作力の軽減が図れる。また、ブラシ体１４を回転方向に対してその略中央が両端部よりも後方に位置するように配設したことにより、吸込具９自体の直進性が向上するとともに回転ブラシ１５両端から略中央部へ塵埃をかき寄せることにより、集塵性能の向上が図れる。
【００３４】
ここで第１の連結体３７に対して回動自在な第２の連結体３８を接続し、さらに第２の連結体３８に接続した延長管８を介して、手元ハンドル６をひねることにより、第２の連結体３８が回動し吸込具本体１０がその方向に傾き、回転ブラシ１５の回転力で吸込具本体１０が傾いた方向に吸込具９自体が前進するので吸込具９の方向を容易にコントロールでき、操作性の向上が図れる。
【００３５】
また、手元ハンドル６の動作を吸込具９に伝えるので、手元ハンドル６を下に下げると延長管８が下がり、第１の連結体３７と第２の連結体３８とのなす角度が大きくなり、延長管８は被掃除面と略平行となる。また、手元ハンドル６をひねって手元ハンドル６の中心軸を中心として手元ハンドル６を回転させることにより、延長管８が回動するとともに延長管８と第１の連結体３７とのなす角度が変わる。延長管８の回動については、第１の連結体３７の回動により、吸込具本体１０の下面が被掃除面に向いた状態を維持し、延長管８と第１の連結体３７のなす角度の変化は、第２の連結体３８が回動するので、同様に吸込具本体１０の下面が被掃除面に向いた状態を維持することができる。
【００３６】
しかも、延長管８と第１の連結体３７のなす角度が変化するように第２の連結体３８を回動自在にしたことにより、吸込具本体１０を大きく回動することができ、例えば、延長管８の軸方向と吸込具本体１０の横方向（吸込具本体１０の長辺方向）をほぼ平行にすることができる。この場合、第２の連結体３８の回動範囲は、吸込具本体１０を被掃除面に置いた状態で少なくとも鉛直方向まで回動できるようにしておく必要があり、また、延長管８の軸方向を被掃除面と平行にするためには、吸込具本体１０を被掃除面に置いた状態で少なくとも水平状態まで回動できるようにしておく必要があり、さらに第１の連結体３７の回動範囲を１８０°にしておくことで、延長管８の軸方向と吸込具本体１０の横方向をほぼ平行にし、かつ、延長管８の軸方向を被掃除面に平行にすることができる。
【００３７】
これにより、ベッドの下などの高さの低い部分での掃除でも延長管８が被掃除面とほぼ平行となるまで低くすることが可能となり、また、吸込具本体１０の横方向と延長管８をほぼ平行にすることができ、幅の狭い空間での掃除が可能となり、広範囲に掃除が可能となる。
【００３８】
壁際の掃除の際にも図６に示すように吸込具本体１０の横方向と延長管８をほぼ平行にすることができ、壁に吸込具本体１０を押し付ける力が加わりにくくなり操作性の向上が図れる。さらに図３に示すように吸込具本体１０前部の最外周であるバンパー１９よりも起毛布２０が前方へ突出していることにより、壁との間に形成された隙間５４から外気が流入し、吸込具本体１０前部と壁が密着するのを防止して被掃除面への吸着力を増すことないため、操作性を損なわず、また、壁との間に形成された隙間５４から外気が流入することにより、前部塵埃通路２６から壁際の塵埃を効率よく吸い込み、壁際の集塵性能の向上が図れるものである。また、吸込具本体１０前面より突出した起毛布２０により、壁際の拭き（磨き）効果も得られる。
【００３９】
また、起毛布２０の幅（Ｗ２）に対して底面の進行方向の長さ（Ｌ２）を長くしていることにより、通常使用状態での被掃除面への抵抗を低減し、操作性の向上が図れるとともに底面の進行方向の長さを長くしていることにより起毛布２０の面積を確保でき、吸込具本体１０を確実に保持し、かつ、起毛布２０の耐久性の確保も行なえるものである。
【００４０】
また、吸込口１３後方に下方に突出した中央塵埃掻き上げ部２８を端塵埃掻き上げ部２９よりも後方に配設し、かつ、各塵埃掻き上げ部の近傍まで吸込口１３を広げるとともに前記中央塵埃掻き上げ部２８の一部と端塵埃掻き上げ部２９の一部とを吸込具本体１０の進行方向に対して交差するように配設したことにより、回転ブラシ１５によって掻き上げられた塵埃が吸込具９後方に掃き飛ばされるのを防止して、集塵性能の向上が図れるものである。この中央塵埃掻き上げ部２８、端塵埃掻き上げ部２９をブラシ体で形成し、２列以上を配設することにより、さらに確実に回転ブラシ１５によって掻き上げられた塵埃が吸込具９後方に掃き飛ばされるのを防止して、集塵性能の向上が図れる。なお、本実施例においては、接続部１１の下方に設けた後部ローラー２１に、複数の凹部２１Ａを設けたが、前記ローラー２１を吸込具本体１０の下方に設けていても同様の効果はある。
【００４１】
（実施例２）
次に第２の実施例を図７において説明する。なお上記第１の実施例と同一構成部品については同一符号を付して、その説明を省略する。
【００４２】
下方に吸込口１３を開口させた吸込具本体１０の下面後方で、接続管１１の下方に配設した後部ローラー２１の軸方向の略中央部に径方向に対してその直径をその両端部の直径よりも小さく設定した凹部２１Ａを形成し、後部ローラー２１外周とその直径を変えている。また、前記凹部２１Ａに接続部１１の第２の下部カバー体４７が後部ローラー２１外周よりも小さい凹部２１Ａに当らない位置まで回動自在に配設されている。
【００４３】
上記構成により、後部ローラー２１外周の直径に関係無く、接続部１１の配置高さを被掃除面側に近く設定でき、吸込通路３０が被掃除面側に近くなり、吸込口１３から吸込通路３０に塵埃を吸込み易くなり、集塵性能の向上が図れるとともに吸込具本体１０の高さを低くでき、吸込具本体１０の小型軽量化が図れる。なお、本実施例においては、吸込具本体１０の下面後方に後部ローラー２１を配設したが、吸込具本体１０の下面に設けても同様の効果はある。
【００４４】
（実施例３）
次に本発明の第３の実施例を図９において説明する。なお上記第１、第２の実施例と同一構成部品については同一符号を付して、その説明を省略する。
【００４５】
下方に吸込口１３を開口させた吸込具本体１０の下面後方に配設した後部ローラー２１の軸方向の略中央部に径方向に対してその直径を接続部１１の第２の下部カバー体４７の外形形状に略近似するように略円弧状にその両端部の直径よりも小さく設定した凹部２１Ａを形成し、後部ローラー２１外周に滑らかにその直径を変化させている。
【００４６】
上記構成により、後部ローラー２１外周の直径に関係無く、接続部１１の下部カバー体４７を凹部２１Ａのぎりぎりの高さまで下げることができ、無駄なスペースをつくることなく、吸込通路３０が被掃除面側に近くなり、吸込口１３から吸込通路３０に塵埃を吸込み易くなり、さらなる集塵性能の向上が図れるとともに吸込具本体１０のさらに高さを低くでき、吸込具本体１０の小型軽量化が図れる。なお、本実施例においては、吸込具本体１０の下面後方に後部ローラー２１を配設したが、吸込具本体１０の下面に設けても同様の効果はある。
【００４７】
（実施例４）
次に本発明の第４の実施例を図１０により説明する。なお上記第１〜第３の実施例と同一構成部品については同一符号を付して、その説明を省略する。
【００４８】
径方向にへこませた複数の凹部２１Ａを有した後部ローラー２１の外周に起毛布Ｂ５５を配設しており、この起毛布Ｂ５５により被掃除面との接触抵抗が低減され、吸込具本体１０を横方向に操作するときの操作力が低減されるとともに被掃除面の拭き掃除も行なえ、集塵性能、操作性のさらなる向上が図れるものである。
【００４９】
（実施例５）
次に本発明の第５の実施例を図１１により説明する。なお上記第１〜第４の実施例と同一構成部品については同一符号を付して、その説明を省略する。
【００５０】
径方向にへこませた複数の凹部２１Ａを有した後部ローラー２１の外周に起毛布Ｂ５５をその外径が前記凹部２１Ａと前記後部ローラー２１の外周と略同一になるように配設しており、この外径が略同一の起毛布Ｂ５５により被掃除面の拭き掃除がより広い範囲で効率的に行なえ、集塵性能のさらなる向上が図れるものである。また、径方向にへこませた複数の凹部２１Ａを有した後部ローラー２１の外周に起毛布Ｂ５５をその外径が前記凹部２１Ａと前記後部ローラー２１の外周とでその硬度を変えて配設しており、この起毛布Ｂ５５の硬度の違いによって被掃除面への接触抵抗を調整して滑り性、拭き掃除性のさらなる向上を図ることができるものである。
【００５１】
【発明の効果】
本発明によれば、吸込具本体の横方向に操作する時の後部ローラーによる操作抵抗を低減し、横幅の狭い空間や壁際などでも吸込具本体の横方向での掃除操作が容易にできるように使い勝手を向上させるものである。
【００５２】
また、本発明は前部ローラーに同様の構成を用いても、回転ブラシを搭載していない吸込具についても同様の効果が得られることはいうまでもない。
【図面の簡単な説明】
【図１】本発明の第１の実施例を示す電気掃除機の斜視図
【図２】同電気掃除機用吸込具の下面図
【図３】図２のＡ−Ａ断面図
【図４】同電気掃除機用吸込具の上部枠体を欠した上面図
【図５】同電気掃除機用吸込具の第１の連結体と第２の連結体の展開図
【図６】同電気掃除機用吸込具における壁際での掃除状態図
【図７】本発明の第２の実施例を示す電気掃除機用吸込具の下面図
【図８】図７のＢ−Ｂ断面図
【図９】本発明の第３の実施例を示す電気掃除機用吸込具の下面図
【図１０】本発明の第４の実施例を示す電気掃除機用吸込具の下面図
【図１１】本発明の第５の実施例を示す電気掃除機用吸込具の下面図
【図１２】従来の電気掃除機用吸込具の下面図
【図１３】同電気掃除機用吸込具の後面図
【図１４】同その他の電気掃除機用吸込具の下面図
【図１５】図１４のＣ−Ｃ断面図
【図１６】同電気掃除機用吸込具における壁際での掃除状態図
【符号の説明】
１０　吸込具本体
１１　接続部
２０　起毛布
２１　後部ローラー
２１Ａ　凹部
３７　第１の連結体
３８　第２の連結体
５５　起毛布Ｂ
【図１】
2004089243.tif 000003
【図２】
2004089243.tif 000004
【図３】
2004089243.tif 000005
【図４】
2004089243.tif 000006
【図５】
2004089243.tif 000007
【図６】
2004089243.tif 000008
【図７】
2004089243.tif 000009
【図８】
2004089243.tif 000010
【図９】
2004089243.tif 000011
【図１０】
2004089243.tif 000012
【図１１】
2004089243.tif 000013
【図１２】
2004089243.tif 000014
【図１３】
2004089243.tif 000015
【図１４】
2004089243.tif 000016
【図１５】
2004089243.tif 000017
【図１６】
2004089243.tif 000018